(57)【要約】【課題】陳列室内に陳列される商品に応じた適切な照明を容易に実現することができるショーケースを提供する。【解決手段】本発明のショーケース１は、商品を陳列する陳列室１１と、陳列室１１内を照明する照明装置３８等を備えたものであって、照明装置３８は、赤色ＬＥＤ４１Ｒと緑色ＬＥＤ４１Ｇと青色ＬＥＤ４１Ｂとの三原色ＬＥＤ４１から構成されており、各赤色ＬＥＤ４１Ｒ、緑色ＬＥＤ４１Ｇ、青色ＬＥＤ４１Ｂに流れる電流をそれぞれＰＷＭ制御する制御装置４８を備え、陳列される商品に応じた適切な演色性の光による照明を行う。【選択図】図６
2008079819.tif 000002
【特許請求の範囲】
【請求項１】
商品を陳列する陳列室と、該陳列室内を照明する照明装置を備えたショーケースにおいて、
前記照明装置は、赤色ＬＥＤと緑色ＬＥＤと青色ＬＥＤとの三原色ＬＥＤから構成されており、前記各ＬＥＤに流れる電流をそれぞれ制御する制御装置を備えたことを特徴とするショーケース。
【請求項２】
前記制御装置は、前記各ＬＥＤに流れる電流をそれぞれ制御することにより、前記陳列室内に陳列される商品に適した色の演色性を強調することを特徴とする請求項１に記載のショーケース。
【請求項３】
前記制御装置は、前記商品に付された識別情報から当該商品を判別することを特徴とする請求項２に記載のショーケース。
【請求項４】
前記制御装置は、外部から送信された指示データを受信し、当該指示データに基づいて前記各ＬＥＤに流れる電流をそれぞれ制御することを特徴とする請求項１乃至請求項３の何れかに記載のショーケース。
【発明の詳細な説明】
【技術分野】
【０００１】
本発明は、商品を陳列する陳列室と、陳列室内を照明する照明装置を備えたショーケースに関するものである。
【背景技術】
【０００２】
従来この種ショーケースは、例えば特許文献１に示される如く断面略コ字状の断熱壁の開口上縁に形成した吐出口から、開口下縁の吸込口に向けて冷気を吐出することにより、前記開口にエアーカーテンを形成すると共に、断熱壁にて囲繞された陳列室を所定温度に冷却している。そして、開口上縁の外側又は開口両側縁及び棚下などに複数の蛍光ランプを取付陳列室内及びショーケース自体の照明を行っている。
【０００３】
通常、特許文献１に示されるような庫内を冷却し、当該冷却環境において陳列される商品の照明を行う照明装置としては、蛍光ランプが用いられる。蛍光ランプは、例えば、ＪＩＳ（日本工業規格）Ｃ７６０１によるＦＬ４、ＦＬ６、ＦＬ８、ＦＬ１０等が採用されており、いずれも細長い円筒形である。そのため、陳列室側に取り付けられるホルダーに係止させることによって、蛍光ランプが取り付けられる。
【０００４】
蛍光ランプは、交流電源ＡＣが投入されると、スタータを一定時間導通させて、蛍光ランプのフィラメントに電流を流す。そして、フィラメントが加熱された後、スタータを遮断することで、安定器がフィラメント間に高電圧を印加する。この高電圧により両フィラメント間に放電が生じ、これによって、蛍光ランプが発光する。一旦発光した後は、安定器により蛍光ランプの発光が持続される。
【０００５】
蛍光ランプなどそれ自体で発光する物体、即ち、光源は、それぞれ発光する色が異なり、色温度（Ｋ：ケルビン）によって光源色を表すことができる。例えば、蛍光ランプは、白色、昼白色など４０００Ｋ〜７０００Ｋであり、ハロゲン電球は３２００Ｋ程度、電球は２８００Ｋ程度である。一般に、色温度の低いものから放射する光は赤く、色温度が高くなるにつれて白みを帯び、更に高くなると青みを帯びる。そのため、電球から発光される光は、赤みを帯びており、ハロゲン電球は、電球よりも白温度が高いことから電球に比べて白みを帯びた光となる。
【０００６】
また、昨今では、蛍光ランプ等の人工光から作り出される様々な発光を組み合わせることによって、色覚反応の強い青、緑、赤の３波長域に光を集中させ、照度と、演色性の向上を図った蛍光ランプの開発が行われている。即ち、赤の波長域により多くの光を集中させた蛍光ランプをショーケースにおける陳列室の照明に用いることにより、陳列室内に陳される肉などの商品をより赤く演出することができる。また、緑の波長域により多くの光を集中させた蛍光ランプを陳列室の照明に用いることにより、陳列室内に陳列される青物などの商品をより緑に演出することができる。
【特許文献１】特開平５−３１７１４６号公報
【発明の開示】
【発明が解決しようとする課題】
【０００７】
しかしながら、スーパーマーケットなどの店舗では、野菜や肉類、魚介類を陳列する場合であっても、汎用性の面から同種のショーケースを複数台設置して行う。そのため、ショーケースの陳列室に陳列する商品の効果的な照明を行うためには、当該商品の種類に応じた演色性を備える蛍光ランプを選択し、取り付けなければならない。
【０００８】
そのため、店舗では、商品の種類に応じた演色性を実現することができる蛍光ランプを複数種類、有していなければ成らないという問題がある。また、それぞれ専用の蛍光ランプを用いなければ、蛍光ランプによる演色性が商品陳列において逆効果となってしまう場合もある。従って、適切な演色効果を得るためには、コストの高騰や、照明管理作業の煩雑化を招く問題があった。
【０００９】
そこで、本発明は従来の技術的課題を解決するためになされたものであり、陳列室内に陳列される商品に応じた適切な照明を容易に実現することができるショーケースを提供する。
【課題を解決するための手段】
【００１０】
本発明のショーケースは、商品を陳列する陳列室と、陳列室内を照明する照明装置を備えたものであって、照明装置は、赤色ＬＥＤと緑色ＬＥＤと青色ＬＥＤとの三原色ＬＥＤから構成されており、各ＬＥＤに流れる電流をそれぞれ制御する制御装置を備えたことを特徴とする。
【００１１】
請求項２の発明のショーケースは、上記発明において、制御装置は、各ＬＥＤに流れる電流をそれぞれ制御することにより、陳列室内に陳列される商品に適した色の演色性を強調することを特徴とする。
【００１２】
請求項３の発明のショーケースは、上記発明において、制御装置は、商品に付された識別情報から当該商品を判別することを特徴とする。
【００１３】
請求項４の発明のショーケースは、上記各発明において、制御装置は、外部から送信された指示データを受信し、当該指示データに基づいて各ＬＥＤに流れる電流をそれぞれ制御することを特徴とする。
【発明の効果】
【００１４】
本発明によれば、商品を陳列する陳列室と、陳列室内を照明する照明装置を備えたショーケースにおいて、照明装置は、赤色ＬＥＤと緑色ＬＥＤと青色ＬＥＤとの三原色ＬＥＤから構成されており、各ＬＥＤに流れる電流をそれぞれ制御する制御装置を備えたので、各ＬＥＤに通電される電流を変化させることによって、照明装置から照射される光の演色性を変更することが可能となる。
【００１５】
そのため、請求項２の如く制御装置は、各ＬＥＤに流れる電流をそれぞれ制御することにより、陳列室内に陳列される商品に適した色の演色性を強調することが可能となり、陳列される商品を照明装置によって効果的に演出することができる。
【００１６】
これにより、緑色ＬＥＤへの通電電流を増加させることによって、例えば野菜などの青物をより青々しく見せることが可能となり、赤色ＬＥＤへの通電電流を増加させることによって、例えば肉類の赤み部分をより赤く見せることが可能となる。また、青色ＬＥＤへの通電電流を増加させることによって、例えば魚介類をよりみずみずしく見せることが可能となる。このように、商品の種類に応じて演色性を変更することで、商品の陳列効果を向上させることが可能となる。
【００１７】
請求項３の発明によれば、上記発明において、制御装置は、商品に付された識別情報から当該商品を判別することにより、当該商品に応じた各ＬＥＤに流れる電流を制御することが可能となる。そのため、商品を陳列室に陳列するのみで、効果的な照明を実現することができる。従って、演色性の変更作業を行う必要がなくなり、利便性の向上を図ることが可能となる。
【００１８】
また、請求項４の発明によれば、上記各発明において、制御装置は、外部から送信された指示データを受信し、当該指示データに基づいて各ＬＥＤに流れる電流をそれぞれ制御することにより、外部から各陳列室の照明装置による演色性を変更することが可能となり、一括した照明装置の管理が可能となる。
【００１９】
これにより、ショーケースが設置される現場における各照明装置の演色性の変更作業を行う必要がなくなり、利便性の向上を図ることが可能となる。
【発明を実施するための最良の形態】
【００２０】
次に、図面に基づき本発明の実施例を詳述する。図１は本発明のショーケース１の斜視図、図２はショーケース１の縦断側面図をそれぞれ示している。本発明のショーケース１は断面略コ字状の断熱壁２と、この断熱壁２の両側に取り付けられた側板３、３とから構成されている。断熱壁２の内側にはそれぞれ間隔を存して仕切板４が取り付けられ、この仕切板４と断熱壁２間をダクト７としている。
【００２１】
仕切板４の底部には底板としてのデックパン９が設けられており、これら仕切板４及びデックパン９の内側を陳列室１１としている。断熱壁２の前面開口１２の上縁にはハニカム材１３が取り付けられた吐出口１６が形成されており、この吐出口１６に対向して開口の下縁には吸込口１８が設けられており、これら吐出口１６及び吸込口１８はそれぞれダクト７に連通している。
【００２２】
一方、断熱壁２の底壁２Ａ上にファンケース２３が設置されており、このファンケース２３には送風機２４が取り付けられている。仕切板４後方のダクト７内には冷却装置の冷却器２７が縦設されており、前記送風機２４が運転されると冷却器２７と熱交換した冷気はダクト７内を上昇せられ、吐出口１６より吸込口１８に向かって吐出される。そして、吸込口１８から吸い込まれた冷気は再び送風機２４によって加速される。これによって、開口１２にはエアーカーテンが形成され、冷気エアーカーテンの一部が陳列室１１内に循環されて陳列室１１は冷却される。
【００２３】
陳列室１１の両側背部には支柱２８が位置しており、この支柱２８の後辺の前面には所定間隔で係合孔２９が複数形成されている。この係合孔２９・・には複数のブラケット３１・・の後端が着脱自在に係合されており、左右一対のブラケット３１、３１上にはそれぞれ棚３２が取り付けられて陳列室１１内に架設されている。
【００２４】
また、断熱壁２の底壁２Ａの下方には、機械室６が形成されており、この機械室６内には前記冷却器２７と所謂冷媒サイクルを形成する凝縮器３０及び図示しない圧縮機等が設けられている。また、この凝縮器３０の後方には、凝縮器用送風機３３が取り付けられており、機械室６前面には、グリル５が形成され、グリル５より吸気され、後方より廃熱が外部に排出される（図２参照）。
【００２５】
他方、図３は前記棚３２の部分縦断側面図を示している。棚３２の前面には、値札などを保持するためのプライスレール３５が取り付けられており、このプライスレール３５の下面には、内方に開口を有する断面略コ字状の取付具３６が取り付けられている。また、棚３２の前部下面であって、前記取付具３６の後方には、下方に開口を有する断面略コ字状の取付具３７が取り付けられている。これら取付具３６、３７の開口面の両端は、それぞれ内方に向かって少許折曲されて形成されている。そして、この取付具３６、３７の開口面には、発光ダイオード（Light Emitting Dionde以下、ＬＥＤという）を光源とする照明装置３８、３９がそれぞれ収納されている。尚、照明装置３８等の詳細については、後述する。
【００２６】
図４は、陳列室１１下方の縦断側面図を示している。前述の如く断熱壁２の底壁２Ａ上方にはダクト用の間隔を存してデックパン９が取り付けられ、このデックパン９の前方には冷気の吸込口１８が設けられている。ここで、デックパン９の前端と吸込口１８の間には、左右方向に開口４３が形成されており、この開口４３には、上方を照明するように前記照明装置３８と同様に構成される照明装置４４が取り付けられている。このとき、照明装置４４の上面は、デックパン９の上面と略面一となるように取り付ける。
【００２７】
また、断熱壁２の開口１２下縁には、ハンドレール４５が形成されている（図２では図示しない）。このハンドレール４５は前端から後方に向けて低く形成されていると共に、左右に渡って開口４６が形成されている。この開口４６には、前記照明装置３８と同様に構成される照明装置４７が取り付けられる。尚、照明装置４７の縦及び横寸法は、前記照明装置３８よりも小さくても良い。
【００２８】
更に、吐出口１６を形成する仕切板４の前部下面には、吐出口１６の後方に位置して、左右方向に図示しない開口が形成されており、この開口には、下方を照明するように前記照明装置３８と同様に構成される照明装置４８が取り付けられる。
【００２９】
次に、上記各照明装置３８、３９、４４、４７、４８の詳細な構成について図５及び図６を参照して説明する。尚、以下、照明装置３８を例に挙げて説明するが、上述したように各照明装置３９、４４、４８、４８も同様の構成とされているものとする。
【００３０】
本実施例における照明装置３８は、図５の照明装置３８の概略構成説明図に示すように矩形状の基板４０に配列された複数の三原色ＬＥＤ４１により構成されており、各三原色ＬＥＤ４１は、赤色ＬＥＤ４１Ｒ、緑色ＬＥＤ４１Ｇ、青色ＬＥＤ４１Ｂとから成る。図６に示すように、三原色ＬＥＤ４１を構成するそれぞれの赤色ＬＥＤ４１Ｒは、直列に接続されており、複数の赤色ＬＥＤ４１Ｒを直列に接続した当該経路の一端は、ＬＥＤ制御部を構成するＰＷＭ回路４２Ｒに接続される。同様に、三原色ＬＥＤ４１を構成するそれぞれの緑色ＬＥＤ４１Ｇは、直列に接続されており、複数の緑色ＬＥＤ４１Ｇを直列に接続した当該経路の一端は、ＬＥＤ制御部を構成するＰＷＭ回路４２Ｇに接続される。また、三原色ＬＥＤ４１を構成するそれぞれの青色ＬＥＤ４１Ｂは、直列に接続されており、複数の青色ＬＥＤ４１Ｂを直列に接続した当該経路の一端は、ＬＥＤ制御部を構成するＰＷＭ回路４２Ｂに接続される。
【００３１】
一方、制御装置４８は、上記各ＰＷＭ回路４２Ｒ、４２Ｇ、４２Ｂにより構成されるＬＥＤ制御部４９と、定電圧電源部５０とを備えており、当該制御装置４８の入力側には、照明装置３８の演色性（演色パターン）を変更するためのコントロールパネル５１が接続されている。
【００３２】
この定電圧電源部５０は、ＡＤコンバータを備えており、外部の交流電源ＡＣからの交流を直流へ変換するものである。そして、この定電圧電源部５０から出力された直流電力は、ＬＥＤ制御部４９へ供給され、各ＰＷＭ回路４２Ｒ、４２Ｇ、４２Ｂを介して各ＬＥＤ４１Ｒ、４１Ｇ、４１Ｂへ供給される。
【００３３】
ＬＥＤ制御部４９を構成する各ＰＷＭ回路４２Ｒ、４２Ｇ、４２Ｂは、定電圧電源部５０と、各赤色ＬＥＤ４１Ｒが接続された経路、各緑色ＬＥＤ４１Ｇが接続された経路、各青色ＬＥＤ４１Ｂが接続された経路とを中継する回路であり、それらの間を流れる電流を、導通、又は遮断するためのスイッチを備えている。そして、それらのスイッチのスイッチングをＰＷＭ制御にて制御することにより、それぞれの赤色ＬＥＤ４１Ｒ、緑色ＬＥＤ４１Ｇ、青色ＬＥＤ４１Ｂをそれぞれ流れる電流が制御される。
【００３４】
各ＰＷＭ回路４２Ｒ、４２Ｇ、４２ＢにおけるＰＷＭ制御用のパルス信号は、コントロールパネル５１にて入力された演色パターンに基づき生成される。即ち、コントロールパネル５１は、照明装置３８における演色性を、赤演色性、緑演色性、青演色性等の演色パターンを入力可能とする。当該演色パターンの入力に基づき、照明装置３８の各ＬＥＤ４１Ｒ、４１Ｇ、４１Ｂへの通電電流を制御する。
【００３５】
ここで、三原色ＬＥＤ４１により得られる発光色は、それぞれの赤色ＬＥＤ４１Ｒ、緑色ＬＥＤ４１Ｇ、青色ＬＥＤ４１Ｂのそれぞれに通電される電流によって異なる。例えば、図７は、光の三原色を示す図であり、光成分である赤（Ｒ）と、緑（Ｇ）と、青（Ｂ）とが重ね合わさることにより、色が合成される。このＲＧＢの比率が変更されると、得られる光の性質が変更され、例えば、ＲＧＢが略同一の比率で合成されると、白色（Ｗ）の光が得られる。ここで、緑（Ｇ）青（Ｂ）よりも赤（Ｒ）の比率をより多くすることにより、得られる光はより赤くなり、赤（Ｒ）青（Ｂ）よりも緑（Ｇ）の比率をより多くすることにより、得られる光はより緑になり、赤（Ｒ）緑（Ｇ）よりも青（Ｂ）の比率をより多くすることにより、得られる光はより青くなる。
【００３６】
そして、本実施例では、陳列室１１内に陳列される商品をより自然な光に近い状態で陳列した商品の照明を行うため、いずれの演色性を選択した場合であっても、図７に示す如き白色の領域を出ない光を実現する。即ち、制御装置４８は、図８に示すように、赤色ＬＥＤ４１Ｒへの通電電流を他の緑色ＬＥＤ４１Ｇや青色ＬＥＤ４１Ｂへの通電電流よりも多くし、且つ、光自体をみた場合には、白色に見える比率となるような光（図７における点ＲＬの光）を構成するパルス列のパターンを予め記憶しておき、赤演色性の光にて照明する場合、具体的には、コントロールパネル５１にて赤演色性が入力された場合には、当該制御装置４８内に設けられる発振回路にて、予め記憶された赤演色性のパルス列のパターンに従ってパルス信号を生成する。
【００３７】
同様に、制御装置４８は、図９に示すように、緑色ＬＥＤ４１Ｇへの通電電流を他の赤色ＬＥＤ４１Ｒや青色ＬＥＤ４１Ｂへの通電電流よりも多くし、且つ、光自体をみた場合には、白色に見える比率となるような光（図７における点ＧＬの光）を構成するパルス列のパターンを予め記憶しておき、緑演色性の光にて照明する場合、具体的には、コントロールパネル５１にて緑演色性が入力された場合には、当該制御装置４８内に設けられる発振回路にて、予め記憶された緑演色性のパルス列のパターンに従ってパルス信号を生成する。
【００３８】
また、制御装置４８は、図１０に示すように、青色ＬＥＤ４１Ｂへの通電電流を他の赤色ＬＥＤ４１Ｒや緑色ＬＥＤ４１Ｇへの通電電流よりも多くし、且つ、光自体をみた場合には、白色に見える比率となるような光（図７における点ＢＬの光）を構成するパルス列のパターンを予め記憶しておき、青演色性の光にて照明する場合、具体的には、コントロールパネル５１にて青演色性が入力された場合には、当該制御装置４８内に設けられる発振回路にて、予め記憶された緑演色性のパルス列のパターンに従ってパルス信号を生成する。
【００３９】
尚、本実施例における制御装置４８は、より自然光に近い色の光を構成するパルス列のパターンも予め記憶しておき、演色性のない光にて照明する場合、具体的には、コントロールパネル５１にて無演色性が入力された場合には、当該制御装置４８内に設けられる発振回路にて、予め記憶された無演色性のパルス列のパターンに従ってパルス信号を生成する。
【００４０】
これにより、陳列室１１内に陳列される商品の種類に応じて、コントロールパネル５１を操作することにより、各照明装置３８等から照射される光の演色性を変更することが可能となる。特に、本実施例では、制御装置４８によって、各ＬＥＤ４１Ｒ、４１Ｇ、４１Ｂに流れる電流をそれぞれ制御することにより、容易に陳列室１１内に陳列される商品に適した色の演色性を強調することが可能となる。これにより、陳列室１１に陳列される商品が変更された場合であっても、照明装置を交換することなく、円滑に照明装置３８等による効果的な演出が可能となる。
【００４１】
例えば、緑色ＬＥＤ４１Ｇへの通電電流を増加させることによって、例えば野菜などの青物をより青々しく見せることが可能となり、赤色ＬＥＤ４１Ｒへの通電電流を増加させることによって、例えば肉類の赤み部分やトマトなどの赤色の野菜をより赤く見せることが可能となる。また、青色ＬＥＤ４１Ｂへの通電電流を増加させることによって、例えば魚介類をよりみずみずしく見せることが可能となる。このように、商品の種類に応じて演色性を変更することで、商品の陳列効果を向上させることが可能となる。
【００４２】
また、本実施例では、各演色パターンにより実行される演色性の光は、見た目白色であって、照明対象物をより赤く、又は、緑に、若しくは青く見せることを可能とするため、自然な光による演出が可能となり、効果的な照明を実現することができる。
【００４３】
尚、本実施例では、コントロールパネル５１を操作し、各演色パターンを入力することで、陳列室１１内に陳列される商品に応じた演色性の光による照明を実現しているが、これに限定されるものではなく、例えば、図１１に示されるように、商品に付された識別タグ５４からの情報に基づいて照明装置３８等から演色性の光を照射しても良いものとする。
【００４４】
この場合、制御装置４８は、制御対象となる照明装置の照明部分の何れかの商品載置面に受信部（識別情報判別部）５３を備え、陳列室１１内に陳列される商品に商品情報を記載した識別タグ５４を付す。そして、この識別タグ５４による受信部５３への商品情報の入力が行われることによって、制御装置４８は、受信された商品を判別し、当該商品に応じた演色性の光による照明を実現することが可能となる。
【００４５】
これにより、制御装置４８は、商品に付された識別情報から当該商品を判別することにより、当該商品に応じた各ＬＥＤに流れる電流を制御することが可能となる。そのため、商品を陳列室１１に陳列するのみで、効果的な照明を実現することができる。従って、演色性の変更作業を行う必要がなくなり、利便性の向上を図ることが可能となる。
【００４６】
また、これ以外にも、図１２に示されるように、一般に、店舗内に設置されるショーケースの温度管理や照明装置の点灯・消灯などを一括して管理するための集中管理装置５５によって、ショーケースの各照明装置による演色性の光による照明を行っても良いものとする。集中管理装置５５とショーケース１に設けられる制御装置４８とは、有線又は無線により通信可能とする。
【００４７】
これにより、制御装置４８は、集中管理装置５５から送信された指示データを受信し、当該指示データに基づいて各照明装置の各ＬＥＤに流れる電流をそれぞれ制御することにより、容易に当該照明装置による演色性を変更することが可能となる。これにより、一括した照明装置の管理が可能となる。そのため、ショーケース１が設置される現場における各照明装置の演色性の変更作業を行う必要がなくなり、利便性の向上を図ることが可能となる。尚、本実施例では、同一店舗内に設置される集中管理装置５５により各照明装置の演色性の変更作業を可能なものとしているが、集中管理装置５５に限定されるものではなく、ショーケース１に対し、外部から指示データを通信することが可能なもの（外部入力手段）であれば、これに限定されない。
【００４８】
尚、上記各実施例では、照明装置３８等は、ＬＥＤにより構成されているため、従来の如き蛍光ランプと比較して低温特性が優れており、本実施例のような低温ショーケースの如き比較的低温の環境で使用しても、照度の低下を未然に回避することができる。これによっても、照明効果の向上を図ることが可能となる。
【図面の簡単な説明】
【００４９】
【図１】ショーケースの斜視図である。
【図２】ショーケースの縦断側面図である。
【図３】棚の部分縦断側面図である。
【図４】ショーケース下部の部分縦断側面図である。
【図５】照明装置の概略構成説明図である。
【図６】照明装置の概略回路構成図である。
【図７】光の三原色を示す図である。
【図８】赤演色性の各ＬＥＤのパルス列のパターンを示す図である。
【図９】緑演色性の各ＬＥＤのパルス列のパターンを示す図である。
【図１０】青演色性の各ＬＥＤのパルス列のパターンを示す図である。
【図１１】他の実施例の照明装置の概略回路構成図である。
【図１２】もう一つの他の実施例の照明装置の概略回路構成図である。
【符号の説明】
【００５０】
１    ショーケース
２    断熱壁
１１  貯蔵室
１２  前面開口
３２  棚
３８、３９、４４、４７、４８  照明装置
４０  基板
４１  三原色ＬＥＤ（発光ダイオード）
４１Ｒ  赤色ＬＥＤ
４１Ｇ  緑色ＬＥＤ
４１Ｂ  青色ＬＥＤ
４２Ｒ、４２Ｇ、４２Ｂ  ＰＷＭ回路
４８  制御装置
４９  ＬＥＤ制御部
５０  定電圧電源部
５１  コントロールパネル
５３  受信部（識別情報判別部）
５４  識別タグ
５５  集中管理装置（外部入力手段）
【図１】
2008079819.tif 000003
【図２】
2008079819.tif 000004
【図３】
2008079819.tif 000005
【図４】
2008079819.tif 000006
【図５】
2008079819.tif 000007
【図６】
2008079819.tif 000008
【図７】
2008079819.tif 000009
【図８】
2008079819.tif 000010
【図９】
2008079819.tif 000011
【図１０】
2008079819.tif 000012
【図１１】
2008079819.tif 000013
【図１２】
2008079819.tif 000014